(57)【要約】【課題】煙検知器の校正方法および校正装置において、簡単な構成により、装置の小型化と安定かつ迅速な感度校正を可能とする。【解決手段】校正装置１は、所定容積を有する煙発生部２とセンサ配置部３とを仕切４を介して互いに隣接させて備えており、煙発生部２には煙発生装置２１を配し、センサ配置部３は煙検知器５を着脱自在に配置可能とされている。仕切４は不図示の開口とその開口を開閉する可動の弁体とを有し、弁体によって開口を閉鎖することにより、煙発生部２とセンサ配置部３との間の気体の流れが遮断され、弁体を操作し開口を開いて仕切４を開放することにより、煙発生部２とセンサ配置部３との間で気体が流通自在とされる。一定濃度の煙が充満した後静的状態で校正を行うので、安定で繰り返し精度の良い校正を行うことができる。煙発生部２とセンサ配置部３の容積を必要最少限とすればよく、装置全体を小型化することができる。【選択図】図１
2011007529.tif 000002
【特許請求の範囲】
【請求項１】
所定容積の煙発生部で一定量の煙を発生させ、
前記煙発生部に対して仕切によって区切られている所定容積のセンサ配置部に煙検知器を配置し、
前記センサ配置部に煙検知器を配置した状態で、前記仕切を開放して前記煙発生部からの煙を拡散させることにより、前記センサ配置部に一定濃度の煙を充満させて前記煙検知器の校正を行うことを特徴とする煙検知器の校正方法。
【請求項２】
前記仕切を開放する前に、減圧装置を用いて前記センサ配置部を減圧することを特徴とする請求項１に記載の煙検知器の校正方法。
【請求項３】
前記仕切を開放する前に、煙除去装置を用いて前記センサ配置部から煙を除去することを特徴とする請求項１または請求項２に記載の煙検知器の校正方法。
【請求項４】
前記仕切を開放する前に、前記煙発生部に配置されている煙濃度測定器を用いて該煙発生部における煙濃度を測定し、その測定値に基づいて該煙発生部における煙濃度を所定値に調整することを特徴とする請求項１乃至請求項３のいずれか一項に記載の煙検知器の校正方法。
【請求項５】
前記仕切を開放した後、拡散装置を用いて前記煙発生部から前記センサ配置部に向けて強制的に煙を拡散させることを特徴とする請求項１乃至請求項４のいずれか一項に記載の煙検知器の校正方法。
【請求項６】
請求項１乃至請求項５に記載の校正方法を用いて煙検知器を校正するための校正装置。
【発明の詳細な説明】
【技術分野】
【０００１】
本発明は、煙検知器の校正方法および校正装置に関する。
【背景技術】
【０００２】
従来、図１０（ａ）（ｂ）に示すように、煙を送風循環させる検査槽９１に、煙の循環路に沿って、煙発生部９２、制御用煙濃度計９３、整流用ハニカム９４、モータファン９５を順番に配置し、煙濃度計９３に対向させて配置した煙検知器５の感度調整すなわち校正を行う校正方法および校正装置９が知られている。この校正装置９は、煙発生部９２で発生させた煙を、整流用ハニカム９４とモータファン９５によって層流として循環させ、煙検知器５の煙検知部５ａに流入する煙濃度を煙濃度計９３によって求めて煙検知器５の校正を行う。校正予定の複数の煙検知器５は、煙が連続的に流されている検査槽９１の外部から校正装置９に順次着脱して、次々と校正を行うことができる（例えば、特許文献１参照）。
【０００３】
また、煙を下方から上方に流して、上方に配置した煙検知器の校正を行う校正方法および校正装置が知られている。この装置では、煙検知器を上方のボックスに入れ、上昇気流中の煙濃度が所定値になるとボックスを開けて煙検知器を煙に暴露して校正する（例えば、特許文献２参照）。
【先行技術文献】
【特許文献】
【０００４】
【特許文献１】特開２００３−１６１６９８号公報
【特許文献２】特開昭５４−１３３８９号公報
【発明の概要】
【発明が解決しようとする課題】
【０００５】
しかしながら、上述した特許文献１に示されるような方法および装置においては、校正される煙検知器に比して、煙を循環させる空間部分が非常に大きく、装置が大型化し、コストもかかるという問題がある。また、上述した特許文献２に示されるような方法および装置においては、煙の上昇気流中で煙検知器を暴露させて校正を行うので、煙濃度の変動を押さえようとすると、上昇気流が安定するまでの時間の無駄や煙の無駄が発生する。このような煙流の中で校正する際の無駄を無くそうとすると、結局、煙を循環させる場合と同様の構成となり、前記同様の問題が発生する。
【０００６】
本発明は、上記課題を解消するものであって、簡単な構成により、小型化した装置よって、安定かつ迅速に感度校正を行うことができる煙検知器の校正方法および校正装置を提供することを目的とする。
【課題を解決するための手段】
【０００７】
上記課題を達成するために、請求項１の発明は、所定容積の煙発生部で一定量の煙を発生させ、前記煙発生部に対して仕切によって区切られている所定容積のセンサ配置部に煙検知器を配置し、前記センサ配置部に煙検知器を配置した状態で、前記仕切を開放して前記煙発生部からの煙を拡散させることにより、前記センサ配置部に一定濃度の煙を充満させて前記煙検知器の校正を行うものである。
【０００８】
請求項２の発明は、請求項１に記載の煙検知器の校正方法において、前記仕切を開放する前に、減圧装置を用いて前記センサ配置部を減圧するものである。
【０００９】
請求項３の発明は、請求項１または請求項２に記載の煙検知器の校正方法において、前記仕切を開放する前に、煙除去装置を用いて前記センサ配置部から煙を除去するものである。
【００１０】
請求項４の発明は、請求項１乃至請求項３のいずれか一項に記載の煙検知器の校正方法において、前記仕切を開放する前に、前記煙発生部に配置されている煙濃度測定器を用いて該煙発生部における煙濃度を測定し、その測定値に基づいて該煙発生部における煙濃度を所定値に調整するものである。
【００１１】
請求項５の発明は、請求項１乃至請求項４のいずれか一項に記載の煙検知器の校正方法において、前記仕切を開放した後、拡散装置を用いて前記煙発生部から前記センサ配置部に向けて強制的に煙を拡散させるものである。
【００１２】
請求項６の発明は、請求項１乃至請求項５に記載の校正方法を用いて煙検知器を校正するための校正装置である。
【発明の効果】
【００１３】
請求項１の発明によれば、煙発生部とセンサ配置部の容積を必要最少限の一定容積とすればよいので、校正装置全体を小型化することができる。また、煙発生部とセンサ配置部間の仕切によって、煙発生部とセンサ配置部とにおける作業を独立に並行することができ、安定かつ迅速に感度校正を行うことができる。校正を煙流中で行うのではなく、センサ配置部に一定濃度の煙が充満した後の静的状態で校正を行うので、安定で繰り返し精度の良い校正を行うことができる。必要最少限の一定容積部分に対し、一定量の煙を発生させることにより、必然的に煙濃度が一定となるので、安定、迅速で小型化および自動化された煙検知器の校正方法および校正装置を実現することができる。
【００１４】
請求項２の発明によれば、センサ配置部を減圧するので、仕切開放後のセンサ配置部への煙の流入を促進でき、煙濃度安定化の待ち時間を短縮でき、より迅速な校正を行うことができる。
【００１５】
請求項３の発明によれば、センサ配置部から煙を除去するので、センサ配置部における煙濃度に対する変動要因を減らすことができ、煙濃度を高精度かつ再現性良く設定して安定かつ迅速に感度校正を行うことができる。
【００１６】
請求項４の発明によれば、煙発生部において一定量の煙を発生させるだけでなく、煙濃度の測定値に基づいて煙濃度を調整するので、煙発生部の装置不具合発生などの不測の事態においても校正不良を発生することがなく、信頼性の高い校正を行うことができる。
【００１７】
請求項５の発明によれば、仕切開放後のセンサ配置部への煙の拡散流入を促進でき、煙濃度安定化の待ち時間を短縮でき、より迅速な校正を行うことができる。
【００１８】
請求項６の発明によれば、簡単な構成により、小型化した校正装置を実現でき、安定かつ迅速に感度校正を行うことができる校正装置を実現できる。
【図面の簡単な説明】
【００１９】
【図１】（ａ）は本発明の第１の実施形態に係る校正装置の仕切開放前の状態の断面図、（ｂ）は同装置の仕切開放後の状態の断面図。
【図２】同装置を用いた校正方法の手順を示すフローチャート。
【図３】同装置の変形例を示す断面図。
【図４】第２の実施形態に係る校正装置の断面図。
【図５】同装置を用いた校正方法の手順を示すフローチャート。
【図６】同装置の変形例を示す断面図。
【図７】第３の実施形態に係る校正装置の断面図。
【図８】同装置の変形例を示す断面図。
【図９】同装置の他の変形例を示す断面図。
【図１０】（ａ）は従来の校正装置の断面図、（ｂ）は同装置の外観斜視図。
【発明を実施するための形態】
【００２０】
以下、本発明の実施形態に係る煙検知器の校正方法および校正装置について、図面を参照して説明する。
（第１の実施形態）
図１（ａ）（ｂ）、図２は第１の実施形態について示し、図３はその変形例を示す。図１（ａ）に示すように、校正装置１は、所定容積を有する煙発生部２と、所定容積を有するセンサ配置部３とを、仕切４を介して互いに隣接させて備えており、煙発生部２には煙発生装置２１を配し、センサ配置部３は、校正対象物である煙検知器５を着脱自在に配置可能とされている。煙発生部２とセンサ配置部３とは、四角形の部屋を仕切４によって仕切ることにより形成されている。仕切４は不図示の開口とその開口を開閉する可動の、例えば板状の弁体とを有し、弁体によって開口を閉鎖することにより、煙発生部２とセンサ配置部３との間の気体の流れが遮断される。また、図１（ｂ）に示すように、不図示の弁体を操作し開口を開いて、仕切４を開放することにより、煙発生部２とセンサ配置部３との間で気体が流通自在とされる。
【００２１】
煙発生装置２１は、一定量の煙粒子を発生させる装置である。例えば、加熱したヒータ上に一定量の油を滴下して煙を発生する装置や、圧電素子や弾性表面波発生素子などの高周波振動面に液体を滴下して霧を発生させて煙の代替とする装置を煙発生装置２１として用いることができる。
【００２２】
煙検知器５は、例えば、一対の発光素子と受光素子とを互いの受発光面を対向配置して備え、受発光面間に飛来する煙粒子によって受光量が減少することにより、煙粒子すなわち煙の存在を検知する検知器である。煙検知器の校正は、煙検知感度、すなわち煙の濃度が如何ほどになったら煙の存在を検知するかという、煙濃度に対する煙を感じる度合いを設定する処理である。煙検知器５は、受発光部などを備えた煙検知部５ａと、煙検知部５ａの動作制御を行う回路、電源、煙検知時の発報用ブザなどを備えた検知器本体５ｂなどから構成されている。このような校正対象の煙検知器５は、その煙検知部５ａをセンサ配置部３の内部空間に臨ませてセンサ配置部３に配置される。煙検知器５の校正は、例えば、所定煙濃度を超えた場合に発報用ブザが鳴るように、検知器本体５ｂにおける回路を調整することによって行われる。
【００２３】
次に校正装置１の動作および煙検知器の校正方法を説明する。仕切４を閉とした状態で、図２に示すように、煙発生部２に一定量の煙を発生させ（Ｓ１）、センサ配置部３に煙検知器５を配置する（Ｓ２）。この２つのステップ（Ｓ１，Ｓ２）は、何れを先に行ってもよく、また、同時に行ってもよい。センサ配置部３に煙検知器５を配置した状態で、仕切４を開放し（Ｓ３）、煙発生部２からの煙をセンサ配置部３に拡散させることにより、センサ配置部３に一定濃度の煙を充満させる（Ｓ４）。その後、煙検知器５の校正を行い（Ｓ５）、煙検知器５の取出しと仕切４の閉鎖を行う（Ｓ６）。他の煙検知器５の校正を終了する場合には（Ｓ７でＹｅｓ）、処理は終了する。他の煙検知器５の校正を続けて行い、校正を終了しない場合には（Ｓ７でＮｏ）、上述のステップ（Ｓ１，Ｓ２）からの処理を繰り返す。なお、仕切４を開放するステップ（Ｓ３）の前に、無煙状態における煙検知器５の校正を行うステップを追加してもよい。
【００２４】
校正装置１は、自動処理を行うための制御機器や各種アクチュエータなどを備えることができる。例えば、制御機器としてシーケンサやコンピュータ、および操作用の入出力機器などを備えて、上述のステップ（Ｓ１〜Ｓ７）を、順次、自動で行うようにすることができる。煙発生装置２１による煙の自動発生、仕切４の自動開閉、煙検知器５を校正するための回路の自動調整を行うようにし、さらに、ロボットハンドなどのアクチュエータを用いて煙検知器５を自動で順次着脱交換するようにして、効率的に煙検知器５の校正を行うことができる。
【００２５】
本実施形態によれば、煙発生部２とセンサ配置部３の容積を必要最少限の一定容積とすればよいので、校正装置１全体を小型化することができる。また、煙発生部２とセンサ配置部３間の仕切４によって、煙発生部２とセンサ配置部３とにおける作業を独立に並行することができ、安定かつ迅速に感度校正を行うことができる。校正を煙流中で行うのではなく、センサ配置部３に一定濃度の煙が充満した後の静的状態で校正を行うので、安定で繰り返し精度の良い校正を行うことができる。必要最少限の一定容積部分に対し、一定量の煙を発生させることにより、必然的に煙濃度が一定となるので、安定、迅速で小型化および自動化された煙検知器の校正方法および校正装置１を実現することができる。
【００２６】
また、図３に示すように、センサ配置部３に拡散装置６を設けることもできる。拡散装置６は、仕切４を開放した後、煙発生部２からセンサ配置部３に向けて強制的に煙を拡散させるものである。この変形例によれば、仕切開放後のセンサ配置部３への煙の拡散流入を促進でき、煙濃度安定化の待ち時間を短縮でき、より迅速な校正を行うことができる。
【００２７】
（第２の実施形態）
図４、図５は第２の実施形態について示し、図６はその変形例を示す。本実施形態は、図４に示すように、第１の実施形態における校正装置１において、煙発生部２に煙濃度測定器２２を備え、センサ配置部３に減圧装置Ｐを備えた装置であり、また、これを用いた校正方法に関する。煙濃度測定器２２は、煙発生部２における煙濃度を測定する測定器であり、その測定値に基づいて手動で、または別途備えた制御機器によって自動で、煙発生部２における煙濃度を所定値に調整することができる。煙濃度測定器２２は、煙発生装置２１による発生煙濃度の変動を補正するために用いることができ、煙発生装置２１による煙発生精度や煙発生部２における前回構成時の残留煙による煙濃度変動を補完することができる。このような補完のための使用目的の他に、煙発生部２における残留煙の濃度を測定し、これに対して追加の煙発生を行うようにして、所望の煙濃度を実現するという目的に使用することができる。具体的には、仕切４を閉じた状態で、煙発生装置２１による煙発生の前に、煙濃度測定器２２によって煙発生部２の煙濃度を測定し、その測定値と目標濃度との差から計算された量の煙を、煙発生装置２１から発生させる。この場合、煙発生部２における残留煙の排気除去や置換の処理は不要であり、煙の発生量を抑制して煙発生用の材料を節約することができる。
【００２８】
減圧装置Ｐは、例えば真空ポンプ、排風ファン、ブロアなどを用いることができる。減圧装置Ｐは、センサ配置部３の気圧を、他の領域、特に煙発生部２の気圧よりも低圧にするためのものである。減圧装置Ｐは、センサ配置部３、さらには煙発生部２における煙を排気除去するための煙除去装置として用いることができる。減圧装置Ｐを動作させる際に、空気や他の任意の気体を導入することにより、これらの気体によってセンサ配置部３や煙発生部２の気体を置換することができる。なお、センサ配置部３や煙発生部２における気体をより積極的に置換するために、空気や他の任意の気体を圧力をかけてセンサ配置部３や煙発生部２に吹き込むための気体置換装置を設けてもよい。このような加圧置換だけを行う場合には、減圧装置Ｐの動作は不要である。
【００２９】
次に校正装置１の動作および煙検知器の校正方法を説明する。図５に示す処理フローは、上述の図２に示した処理フローに２つのステップ（Ｓ１０，Ｓ２０）を追加したものであり、他は同様である。すなわち、煙発生部２で一定量の煙を発生させるステップ（Ｓ１）の後に、煙発生部２における煙濃度を煙濃度測定器２２によって測定し、その測定値に基づいて煙発生部２における煙濃度を所定値に調整するステップ（Ｓ１０）が追加されている。また、センサ配置部３に煙検知器５を配置するステップ（Ｓ２）の後に、センサ配置部３を減圧装置Ｐを用いて減圧するステップ（Ｓ２０）が追加されている。この減圧の際に、センサ配置部３における煙を除去することができ、必要ならば置換用気体を導入することもできる。
【００３０】
本実施形態によれば、煙発生部２において一定量の煙を発生させるだけでなく、煙濃度の測定値に基づいて煙濃度を調整するので、装置不具合発生などの不測の事態においても校正不良を発生することがなく、信頼性の高い校正を行うことができる。また、センサ配置部３を減圧するので、仕切４を開放後のセンサ配置部３への煙の流入を促進でき、煙濃度安定化の待ち時間を短縮でき、より迅速な校正を行うことができる。さらに、減圧の際に、センサ配置部３から煙を除去できるので、センサ配置部３における煙濃度に対する変動要因を減らすことができ、煙濃度を高精度かつ再現性良く設定できる。
【００３１】
また、図６に示すように、センサ配置部３に、さらに拡散装置６を設けることもできる。拡散装置６は、仕切４を開放した後、煙発生部２からセンサ配置部３に向けて強制的に煙を拡散させて煙濃度を一様化させるものである。この変形例によれば、減圧の効果に加え、仕切開放後のセンサ配置部３への煙の拡散流入と濃度の一様化を促進できる。
【００３２】
（第３の実施形態）
図７は第３の実施形態について示し、図８、図９はその変形例を示す。本実施形態は、上述の第２の実施形態において、仕切４を配管等に用いられるバルブ７、例えば電磁弁によって構成したものである。このバルブ７による仕切における有効開口は、上述の仕切４における開口に比べて１桁以上狭くなるが、市販の安価な電磁弁などをバルブ７として用いることにより、板状の仕切４などよりも容易かつ低コストで校正装置１が得られる。バルブ７を介して、煙をセンサ配置部３に導入する際に、センサ配置部３を減圧装置Ｐによって予め減圧しておくことにより、充分迅速に校正可能状態とすることができる。また、図８に示すように、さらに拡散装置６を備えるようにしてもよい。さらに、図９に示すように、減圧装置Ｐを備えずに拡散装置６だけを備えるようにしてもよい。このような構成により、実用的な校正装置１を安価に実現することができる。
【００３３】
なお、本発明は、上記構成に限られることなく種々の変形が可能である。例えば、上述した各実施形態の構成を互いに組み合わせた構成とすることができる。例えば、第３の実施形態におけるバルブ７を並列に複数設けるようにしてもよい。これにより、センサ配置部３への煙の導入をより迅速に行うことができる。また、煙発生部２やセンサ配置部３の構造は、四角形に限らず円柱形その他、任意の形状とすることができる。また、これらの配置は、水平並列ではなく、上下配列としてもよい。また、センサ配置部３に配置する煙検知器５の個数は、１回に１個づつとは限らず、複数個の煙検知器５を配置できるようにして、バッチ的に校正するようにしてもよい。
【符号の説明】
【００３４】
１    校正装置
２    煙発生部
３    センサ配置部
４    仕切
５    煙検知器
６    拡散装置
７    バルブ（仕切）
２２    煙濃度測定器
Ｐ    減圧装置
【図１】
2011007529.tif 000003
【図２】
2011007529.tif 000004
【図３】
2011007529.tif 000005
【図４】
2011007529.tif 000006
【図５】
2011007529.tif 000007
【図６】
2011007529.tif 000008
【図７】
2011007529.tif 000009
【図８】
2011007529.tif 000010
【図９】
2011007529.tif 000011
【図１０】
2011007529.tif 000012